(57)【要約】【課題】多重化された部分を含むネットワークを持っていても、ノードの物理的な接続関係を把握することが出来るネットワークシステム及びその接続構成情報生成方法を提供することを課題とする。【解決手段】管理ノード１は、まずネットワーク内の全ノード及びその属性を把握する。次に管理ノード１は、属性がルートスイッチ２のノードから接続情報を受け取る。そして各ルートスイッチ２をＡ系統／Ｂ系統に分け、Ａ系統／Ｂ系統それぞれに対して接続情報を用いてノードの物理的な接続関係を求める。【選択図】      図１
2004193966.tif 000002
【特許請求の範囲】
【請求項１】
複数の系統に多重化されたネットワークを持つネットワークシステムにおいて、
前記ネットワーク上のノード間でやり取りされるデータの中継を行う複数の中継装置と、
前記中継装置から、該中継装置の各ポートの先に接続されているノードを示す接続情報を受け取り、該接続情報からネットワーク上の前記中継装置が多重化された前記ネットワークのどの系統に属するかを調べた後、前記ノードの物理的な接続関係を求める管理ノードと、
を備えることを特徴としたネットワークシステム。
【請求項２】
前記中継装置はスイッチングハブであり、前記接続情報はＭＩＢに基づくものであることを特徴とする請求項１に記載のネットワークシステム。
【請求項３】
複数の系統に多重化されたネットワークを持つシステム内のノードの物理的な接続関係を示す接続構成情報を求める接続構成情報生成方法であって、
前記ネットワーク上にある全てのノードを探索し、
該ノードの属性を求め、
前記属性が中継装置であるノードから、該中継装置の各ポートに接続されているノードを示す接続情報を受け取り、
前記接続情報から、前記中継装置であるノードが前記多重化されたネットワークのどの系統に属するかを調べ、
前記系統毎に前記中継装置の接続関係を求める
ことを特徴とする接続情報生成方法。
【請求項４】
前記ノードのアドレスを求め、前記多重化されたネットワークの各系統それぞれから１つの属性が中継装置のノードを選択し、該選択したノードのアドレスを前記接続情報に用いて前記ノードを前記系統に分け、前記接続関係を求めることを特徴とする請求項３に記載の接続情報生成方法。
【請求項５】
複数の系統に多重化されたネットワークを持つシステム内の１つのノードである情報処理装置によって使用されたとき、
前記ネットワーク上にある全てのノードを探索し、
該ノードの属性を求め、
前記属性が中継装置であるノードから、該中継装置の各ポートに接続されているノードを示す接続情報を受け取り、
前記接続情報から、前記中継装置であるノードが前記多重化されたネットワークのどの系統に属するかを調べ、
前記系統毎に前記中継装置の接続関係を求める
ことを前記コンピュータに実行させるプログラム。
【請求項６】
複数の系統に多重化されたネットワークを持つシステム内の１つのノードである情報処理装置によって使用されたとき、
前記ネットワーク上にある全てのノードを探索し、
該ノードの属性を求め、
前記属性が中継装置であるノードから、該中継装置の各ポートに接続されているノードを示す接続情報を受け取り、
前記接続情報から、前記中継装置であるノードが前記多重化されたネットワークのどの系統に属するかを調べ、
前記系統毎に前記中継装置の接続関係を求める
ことを前記情報処理装置に実行させるプログラムを記憶した前記情報処理装置が読み出し可能な可搬記憶媒体。
【発明の詳細な説明】
【０００１】
【発明の属する技術分野】
本発明は、通信ネットワークによって各機器が接続された構成を持つシステムに関し、更に詳しくは多重化された通信ネットワークにおけるノードの接続関係を示す情報の生成に関する。
【０００２】
【従来の技術】
複数の機器が通信ネットワークによって接続された構成のネットワークシステムにおいて、ネットワークの監視・制御等の目的で、ネットワーク全体の接続関係を調べて把握する必要が生じる。
【０００３】
図９は、一般的なツリー型のネットワーク接続を持つシステムの構成例である。
同図のシステムは、複数のスイッチングハブ（ＳＷ-ＨＵＢ）１０２がカスケード接続されて構築されたネットワークによって、複数の機器が接続される構成となっている。またネットワークはＴＣＰ／ＩＰによって構築されているものとする。そしてこのネットワークシステムは、管理ノード（ＧＭ）１０１によって全体が管理されている。
【０００４】
同図のような構成のシステムにおいて、管理ノード１０１から、ＳＮＭＰ（Simple Network Management Protocol）を用いて、ネットワーク全体の接続状態を調べた場合、従来の場合には、ネットワーク接続されている機器毎にその機器に接続されている他の機器が示される情報が管理ノード１０１に集められることとなる。
【０００５】
例えば、同図において管理ノード１０１から見ると、スイッチングハブ１０２−１にスイッチングハブ１０２−２、１０２−３及び端末ノード（ＳＴ）１０３−１〜１０３−４が、またスイッチングハブ１０２−２にはスイッチングハブ１０２−３及び端末ノード１０３−１、１０３−２が接続されていることが判るというように、ある１つの機器に着目してその機器に直接的、間接的に何がつながっているかという形で接続を調べることができる。
【０００６】
【特許文献１】
特開２００２−１０１１２５号公報
上記文献では、管理ノード１０１に各スイッチングハブ１０２−１〜１０２−３からポート単位の接続情報を収集して、この接続情報に基づいて各ノードの接続関係を示す接続構成情報を生成している。
【０００７】
しかし、このような接続関係を示す接続構成情報が有効なのは、システム構成が多重化されていないシングル構成のネットワークを持つものに限られており、ネットワークに二重化された部分がある場合には、うまく物理的な構成を把握することが出来ない。尚ここでいう物理的構成とは、ネットワーク構成機器の接続ポートが他のどのネットワーク構成機器の接続ポートと接続されているかを意味する。
【０００８】
【発明が解決しようとする課題】
上述したように、従来のシステムでは、ノードの接続関係を示す接続構成情報は、スイッチングハブ等の各ネットワーク構成機器が持つ接続情報を基にして、個々の機器に対して接続されている機器を示すに限られていた。そしてシステムがシングル構成のネットワークを持つものであれば、各ネットワーク機器の持つ接続情報を基にして物理的構成を示す接続構成情報を生成することが出来た。
【０００９】
しかし、ネットワークシステムが二重化されたネットワークを持つ場合は、一つの機器が冗長化された複数の機器に接続されているように判断されてしまうため、ネットワーク構成機器の実際の物理的な接続構成を認知するのが困難であった。
【００１０】
また機器毎に接続されている相手機器を示した場合、システムがスイッチングハブ等のブリッジ機能（ＯＳＩ参照モデル  レイヤ２：データリンク層の中継機能）を有する複数の中継装置をカスケード接続した構成の場合では、同一機器が複数の中継装置に接続されているように示されてしまうという問題があった。
【００１１】
上記問題点を鑑み、本発明は、システムが二重化ネットワークを含む構成であっても接続関係を把握することが出来るネットワークシステムや接続構成情報生成方法を提供することを課題とする。
【００１２】
【課題を解決するための手段】
本発明に基づくネットワークシステムは、複数の系統に多重化されたネットワークを持つネットワークシステムを前提とし、複数の中継装置及び管理ノードを備える。
【００１３】
中継装置は、上記ネットワーク上のノード間でやり取りされるデータの中継を行う。この中継装置は、例えばスイッチングハブであり、中継装置の各ポートの先に接続されているノードを示す接続情報を内部に持っている。そしてこの接続情報は、例えばＭＩＢに基づくものである。
【００１４】
管理ノードは、上記中継装置から、上記接続情報を受け取り、該接続情報からネットワーク上の上記中継装置が多重化された上記ネットワークのどの系統に属するかを調べた後、上記ノードの物理的な接続関係を求める。
【００１５】
また本発明は、複数の系統に多重化されたネットワークを持つシステム内のノードの物理的な接続関係を示す接続構成情報を求める接続構成情報生成方法も、その範囲として含む。
【００１６】
この接続構成情報生成方法は、上記ネットワーク上にある全てのノードを探索し、該ノードの属性を求め、上記属性が中継装置であるノードから、該中継装置の各ポートに接続されているノードを示す接続情報を受け取り、上記接続情報から、上記中継装置であるノードが上記多重化されたネットワークのどの系統に属するかを調べ、上記系統毎に上記中継装置の接続関係を求めることを特徴とする。
【００１７】
更に本発明は、複数の系統に多重化されたネットワークを持つシステム内の１つのノードである情報処理装置によって使用されるプログラムや上記情報処理装置が読み出し可能な可搬記憶媒体も範囲として含む。
【００１８】
本発明によれば、ネットワークを構成する中継装置を系統毎に分け、該系統毎に接続関係を調べるので、ネットワーク内に多重化された部分を含んでいてもノードの物理的な接続関係を把握することが出来る。
【００１９】
【発明の実施の形態】
以下に本発明の１実施形態について説明する。
図１は、本実施形態におけるシステムの構成例を示す図である。
【００２０】
同図のシステムは、図９に示したネットワーク構成システムのネットワークをＡ系統とＢ系統の２つに二重化したもので、ネットワーク上のノードとなる管理ノード１及び端末ノード４−１〜４−４をルートスイッチ（ＲｏｏｔＳＷ）２及びスイッチングハブ（ＳＷ−ＨＵＢ）３ａ−１、３ａ−２、３ｂ−１、３ｂ−２をカスケード接続したネットワークによって接続している。図１のシステムでは、Ａ系統、Ｂ系統の一方において通信障害が発生しても、他方の系統を用いてノード間での通信を行うことができる。
【００２１】
図２は、スイッチングハブ３の外観図である。
スイッチングハブ３は、ネットワーク内ではノード間でやり取りされるデータの中継装置として働く。スイッチングハブ３は、スイッチング機能を持つハブ（集線装置）で、接続ポート１１として複数の入出力ポートを持つ。またスイッチングハブ３同士をカスケード結合することによってより大きなネットワークを構成することが出来る。スイッチングハブ３は、受信したパケットを一旦内部へ蓄積したあと、その宛先を調べ、宛先となるネットワーク機器が接続されている接続ポート１１だけにパケットを送信する。そのため、スイッチングハブ３は、自己の接続ポートの先にどのような機器が接続されているかを示すＭＩＢ（Management Information Base ）を内部に作成し、記憶している。
【００２２】
尚図１中のＰ１〜Ｐ４は、ルートスイッチ（ＲｏｏｔＳＷ）２及びスイッチングハブ（ＳＷ−ＨＵＢ）３の接続ポートを示している。また、ルートスイッチ２ａ、２ｂは、スイッチングハブ３と物理的には同じもので、後述するように、接続関係を示す接続構成情報を生成する際にＡ系統、Ｂ系統の中のスイッチングハブ３からそれぞれから１つずつ選出される。
【００２３】
図１のシステムでは、管理ノード（ＧＭ）１及び端末ノード（ＳＴ）４−１〜４−４は、二重化ユニット５を介して各スイッチングユニット２−１と接続されており、Ａ系統及びＢ系統の２系統のネットワークによって二重化接続されている。尚同図中管理ノード１及び端末ノード４−３、４−４は、内部に二重化ユニット５と同等の機能を保持し、この機能を用いてネットワークと二重化接続されているものとする。
【００２４】
管理ノード１や端末ノード４は、他のノードと通信を行う際、このＡ、Ｂ両方の系統の通信ネットワークにデータを送出し、受信側はＡ系統とＢ系統の両方の通信ネットワークからデータを受信した場合には、最初に届いた方を採用するなどの予め定めておいた決まりに基いてデータを受け取る。
【００２５】
図１に示したようなシステムにおいて、管理ノード１がシステムの接続関係を示す接続構成情報を生成する際の処理手順を以下に説明する。
１．情報収集、データベース作成
▲１▼全ノードのサーチ
まず管理ノード１は、システム上にある全ノードを認知するため、システム内のノードに割り振られている全ての論理アドレス（ＩＰアドレス）に対して順番に、例えばＴＣＰ／ＩＰのｐｉｎｇ（Packet InterNetwork Groper）コマンドを用いてアクセスしてゆく。そして応答のあった場合、その論理アドレスを持つノードがシステム内に存在するものと認識する。
▲２▼エントリーテーブルを作成する。
【００２６】
▲１▼で存在が確認されたノードが登録されたエントリーテーブルを作成する。
図３は、このエントリーテーブルの構成例を示す図である。
エントリーテーブルは、ネットワーク上に存在するノードを管理するテーブルで、同図においてエントリーテーブルは、▲１▼の処理でシステム上に存在が確認された各ノードに対して、識別子、物理アドレス（ＭＡＣアドレス）、論理アドレス（ＩＰアドレス）、管理番号及び属性が対応付けて記録される。
【００２７】
同図中、識別子はエントリーテーブルに登録された各ノードを識別する為の符号であり、エントリーテーブルにノードが登録される際に順次ＩＤ．１、ＩＤ．２、・・・と機械的に設定される。物理アドレスは、そのノードのネットワークにおける物理アドレスで、図３の例ではＭＡＣアドレスが記憶されている。論理アドレスは、そのノードのネットワーク上の論理アドレスで、本例ではＩＰアドレスが記憶されている。管理番号は、そのノードが端末ノード４の時のみ付せられる番号で、管理ノード１上で稼動するアプリケーションプログラムが用いる。尚エントリーテーブルの構成として、この管理番号を持たなくても良い。属性は、スイッチングハブ３、端末ノード４等そのノードの種類を示す情報である。またこの属性部分には、属性がスイッチングハブ３を示す時、後述するようにＡ系統に属するのかＢ系統に属するのかが記録される。
【００２８】
▲１▼の処理により、管理ノード１は、ネットワーク上に存在するノードを認知すると、まずエントリーテーブルに、識別子と存在が認知されたノードのＩＰアドレスとを対応付けて記憶する。そしてこのエントリーテーブルの他の項目については以下の処理によって順次調べ、このエントリーテーブルを作成してゆく。
【００２９】
まず管理ノード１は、エントリーテーブル上のＩＰアドレスを元に、ＡＲＰ（Address Resolution Protocol ）コマンドを用いて各ノードの物理アドレス（ＭＡＣアドレス）を求め、これをエントリーテーブルの対応するＩＰアドレスと関連付けて記憶する。
▲３▼管理番号、属性等の冗長化情報を全ノードから収集して、エントリーテーブルを作成する。
【００３０】
管理ノード１は、物理アドレス及び論理アドレスが判明したノードから各ノードが固有に持っている冗長化情報を読み出す。この冗長化情報の読み出し処理は、例えば各ノードをスイッチングハブ３であると見なして、スイッチングハブ３が持つ冗長化情報を各ノードに要求し、応答として冗長化情報が得られたノードの属性をスイッチングハブ３と判断してこの冗長化情報共にエントリーテーブルに登録する。次に管理ノード１は、各ノードを端末ノード４であると見なして端末ノード４が持つ冗長化情報を要求し・・・、という処理を繰り返してゆく。
【００３１】
図４は、各ノードが持つ冗長化情報の例を示す図である。
同図において、管理ノード１は各ノードから収集する冗長化情報として、管理番号（ノード番号）、そのノードの種類を示す属性（ＰＣ（端末ノード）、プログラマブルコントローラ（ＰＬＣ）、二重化ユニット、ＳＷ、管理ノード等）、Ａ系統接続先アドレス、Ｂ系統接続先アドレス及びＡ系統及びＢ系統との接続状態（リンクアップ（接続されている状態）／リンクダウン（接続されていない状態））が示されている。
【００３２】
尚この冗長化情報の項目はノードの種類によって異なり、図４はノードが端末ノード４の場合を例としている。例えばノードがスイッチングハブ３の場合には、図４の冗長化情報の項目中、Ａ系統、Ｂ系統接続先アドレス及びＡ系統及びＢ系統との接続状態についての情報は持たず、代わりにＭＩＢに基づいた、各ポートの先にどのような機器が接続されているかを示す接続情報をもつ。また属性についての情報は、ノード自身が情報として持つのではなく、上記した管理ノード１による判断の結果に基づくものである。
▲４▼エントリーテーブルの属性がスイッチングハブであるノードから、接続ポートに関する情報を収集する。
【００３３】
ルートスイッチ２（この時点ではスイッチングハブ３とは区別なし）及びスイッチングハブ３は、自己の接続ポートそれぞれに対し、その先にどのような機器が接続されているかを示す接続情報を、ＩＰアドレスと物理アドレス対応させたテーブル(コードテーブル)としてＭＩＢ内にプロトコル上持っている。管理ノード１は、エントリーテーブルに属性がスイッチングハブとして登録されたノードに対して、ＳＮＭＰを使って順次このコードテーブルの送信を要求して、この接続情報を収集する。
▲５▼スイッチングハブ３の各接続ポートに接続されているノードを記録して、接続情報を記録したＳＷテーブルを作成する。
【００３４】
▲４▼で収集した情報を元にシステム内の全てのスイッチングハブ３の各接続ポートにどのような機器が接続されているかを示す接続情報を記録したＳＷテーブルを作成する。
【００３５】
図５は、ＳＷテーブルの構成例を示す図である。
同図においてＳＷテーブルは、スイッチングハブ３が持つポート毎に構成されるリスト形式のデータで、そのポートに接続されている機器それぞれに対して、その機器の識別子（エントリ-テーブルでの識別子）とポート番号、及び次のデータへのリンク情報を１組のエントリー５１として持つ。
【００３６】
同図では、スイッチングハブＳＷ１のポート１についてのポート情報として、そのポート及びその先に接続されている機器についての情報がエントリー５１ａ−１、５１ａ−２、・・・として、またスイッチングハブＳＷ２のポート３についてのポート情報として、ＳＷ２のポート３及びその先に接続されている機器についての情報がエントリー５１ｂ−１、５１ｂ−２、・・・としてリスト構造を持つデータとして記憶されている。
【００３７】
管理ノード１は、ＭＩＢを元にして図５に示したような全てのルートスイッチ２及びスイッチングハブ３が持つ全て接続ポートに対して、各接続ポートの先にどのような機器が接続されているかを示すＳＷテーブルを作成し、これを用いて次に示す２．接続構成情報作成に示す処理によって、接続構成情報を作成する。
２．接続構成情報作成
管理ノード１は、ＳＷテーブルのポート接続情報から、以下に示す▲１▼〜▲８▼の処理により接続構成情報を作成する。
▲１▼二重化されたネットワークの２つの系統Ａ、Ｂそれぞれから１つずつ、基になるルートスイッチ２を決め、これをルートスイッチ２とする。このルートスイッチ２の決定の仕方としては、予めＡ系統／Ｂ系統のどちらに属するか分かっているスイッチングハブ３の中から、例えば、論理アドレスが最も小さいもの、論理アドレスの小さいもの、大きいもの、もしくは特定のアドレスを指定等の方法により決定する。またルートスイッチ２を決定後、ルートスイッチ２を上流、末端を下流とする。
▲２▼Ａ系統のルートスイッチ２及びＢ系統のルートスイッチ２の物理アドレスをエントリーテーブルから取得する。
▲３▼各ＳＷテーブルを構成する接続ポート毎のリストデータに対し、▲２▼で求めたルートスイッチ２の物理アドレスを持つ機器のデータがあるかどうかをサーチする。
【００３８】
まずエントリーテーブルをＡ系統とＢ系統のスイッチングハブ３の物理アドレスで検索し、それぞれの識別子（ＩＤ）を調べる。次にＳＷテーブルをそのＩＤでサーチし、Ａ系統のスイッチングハブ３のＩＤを含むエントリーをいずれかのポートのポート接続情報として持つスイッチングハブ３をＡ系統、Ｂ系統のスイッチングハブ３のＩＤを含むエントリーをいずれかのポートのポート接続情報として持つスイッチングハブ３をＢ系統と分別する。
▲４▼▲３▼の処理結果に基いて、各スイッチングハブ３をＡ系統に属するか、Ｂ系統に属するかを分別し、エントリーテーブルの該当するＩＤの属性に、Ａ系統に属するかＢ系統に属するかを書き込む。
▲５▼Ａ系統、Ｂ系統それぞれに対し、ＳＷテーブルを各スイッチングハブ３毎に一段ずつリンクを検索する。
▲６▼各接続ポートのスイッチングハブ３のエントリーの数が１つであれば、直結していると判定して、接続構成情報に記憶し、そのエントリーをリストデータから除外する。
▲７▼全ての接続ポートのエントリーの数が１つ若しくは無くなるまで、▲５▼、▲６▼を繰り返す。
▲８▼以上により、スイッチングハブ３間の接続関係が接続構成情報として記録され、この接続構成情報とエントリーテーブルの情報と合わせて、ネットワーク上の機器の物理的な接続が判る。
【００３９】
図６は、上記した▲５▼〜▲８▼の処理の説明図である。
同図は、同図（ａ）のようなトポロジーを持つネットワークにおいて、各スイッチングハブ３の接続状態を示す接続構成情報を得る場合を例としている。
【００４０】
同図（ａ）中、○はスイッチングハブ３によるノードを示し、□は管理ノードＭを示す。また、ノードＡ、Ｆが▲１▼の処理によってルートスイッチ２に選ばれているものとし、▲４▼までの処理によって、各ノードがＡ系統に属するのかＢ系統に属するのかは判明しているものとする。
【００４１】
同図（ｂ）は、同図（ａ）に示す構成のシステムにおけるＳＷテーブル内のポート接続情報を、接続関係を中心にまとめたもので、各ノードのポート毎にそのポートの先にどのノードが接続されているかが示されている。例えば、ノードＡのポート１の先にはノードＭ、ポート２の先にはノードＢ，Ｃ，Ｄ，Ｅが接続されているとことが分かる。
【００４２】
同図（ｂ）のようなＳＷテーブルの内容において、Ａ系統に属するノードの部分を見ると、ノードＡのポート１、ノードＢのポート２及びノードＣのポート２には１つのノードのみが接続されている。このことから、ノードＡのポート１には管理ノードＭが、ノードＢのポート２にはノードＤが、ノードＣのポート２にはノードＥが直結していることがわかるので、このことを接続構成情報に記録し、またＳＷテーブルから管理ノードＭ、ノードＤ、Ｅのエントリーデータを削除する。また管理ノードＭ、ノードＤ、Ｅは１つしかポートを用いておらず、そのポートの接続先が判明しているので、また管理ノードＭ、ノードＤ及びＥのエントリーデータも削除する。
【００４３】
図６（ｃ）は、同図（ｂ）から上記エントリーデータの削除処理を行った結果を示すもので、同図（ｃ）の状態からノードＢのポート１及びポート２には、ノードＡ及びノードＣが直接接続されていることが分かるので、このことを接続構成情報に記録し、またＳＷテーブルからノードＡ、Ｃのエントリーデータを削除する。
【００４４】
これにより、ＳＷデータ内の全ての接続ポートのエントリーの数が１つ若しくは無くなったのでＡ系統に属するノードの全ての接続関係が接続構成情報に記録されると、次に同様の処理をＢ系統に属すると分別されたノードに対しても行う。この処理により、全ての接続関係が接続構成情報に記録され、この接続構成情報とエントリーテーブルの情報と合わせて、ネットワーク上の機器の物理的な接続が分かる。
【００４５】
そして管理ノードは、この接続構成情報と、エントリーテーブル内の情報を用いて、システム内の各ノードの物理的な接続関係を把握し、これをオペレータに表示したり、システム内のエラー管理等に用いたりする。
【００４６】
また接続構成情報やエントリーテーブルを記録・蓄積しておき、新たな情報と以前に取得した情報とを比較することによって、異常の発生を含めた状態の変化を把握することが出来る。
【００４７】
図７は、管理ノード１の情報処理システム環境図である。
同図のシステムは、ＣＰＵ３１、各プログラムのワークエリアとなる主記憶装置３２、各プログラムやデータベースが記録されるハードディスク等の補助記憶装置３３、ディスプレイ、キーボード等の入出力装置（Ｉ／Ｏ）３４、モデムやネットワーク接続装置３５及びディスク、磁気テープなどの可搬記憶媒体から記憶内容を読み出す媒体読取り装置３６を有し、これらが互いにバス３８により接続される構成を備えている。
【００４８】
これまで説明してきた管理ノード１で行われる各種機能をソフトウエアによって実現した場合、ＣＰＵ３１が主記憶装置３２や補助記憶装置３３上のプログラムに基いて、主記憶装置３２をワークエリアとして、主記憶装置３２若しくは補助記憶装置３３上に記憶された各種閾値や条件値等のデータを読み出して実現する。
【００４９】
図７の管理ノード１では、媒体読取り装置３６により磁気テープ、フレキシブルディスク、ＣＤ−ＲＯＭ、ＭＯ等の記憶媒体３７に記憶されているプログラム、データを読み出し、これを主記憶装置３２または補助記憶装置３３にダウンロードする。そして本実施形態による各処理は、ＣＰＵ３１がこのプログラムやデータを実行することにより、ソフトウエア的に実現させることが出来る。
【００５０】
また、図７のコンピュータでは、フレキシブルディスク等の記憶媒体３７を用いてアプリケーションソフトの交換が行われる場合がある。よって、本発明は、ネットワークシステムや接続構成情報生成方法に限らず、コンピュータにより使用されたときに、上述した本発明の実施形態の機能をコンピュータに行わせるためのプログラムやプログラムを記憶したコンピュータ読み出し可能な記憶媒体４６として構成することもできる。
【００５１】
この場合、「記憶媒体」には、例えば図８に示されるように、ＣＤ−ＲＯＭ、フレキシブルディスク（あるいはＭＯ、ＤＶＤ、リムーバブルハードディスク等であってもよい）等の媒体駆動装置４７に脱着可能な可搬記憶媒体４６や、ネットワーク回線４３経由で送信される外部の装置（サーバ等）内の記憶手段（データベース等）４２、あるいはコンピュータ４１の本体４４内のメモリ（ＲＡＭ又はハードディスク等）４５等が含まれる。可搬記憶媒体４６や記憶手段（データベース等）４２に記憶されているプログラムは、本体４４内のメモリ（ＲＡＭ又はハードディスク等）４５にロードされて、実行される。
【００５２】
尚上記例では、ネットワーク内に二重化された部分を持つシステムを例として示しているが、本発明は三重化以上に多重化された部分を持つシステムにおいても適用することが出来る。
【００５３】
【発明の効果】
本発明によれば、システムが多重化された伝送路を有するネットワークを含む場合であっても、各ノードの物理的な接続状態を把握することが出来る。
【００５４】
また接続状態を示す情報を、以前に取得した情報と比較することで、異常の発生を含めた状態の変化を把握することが出来る。
【図面の簡単な説明】
【図１】本実施形態におけるシステムの構成例を示す図である。
【図２】スイッチングハブの外観図である。
【図３】エントリーテーブルの構成例を示す図である。
【図４】冗長化情報の例を示す図である。
【図５】ＳＷテーブルの構成例を示す図である。
【図６】接続構成情報作成処理の説明図である。
【図７】管理ノードのシステム環境図である。
【図８】媒体例を示す図である。
【図９】一般的なツリー型のネットワーク接続を持つシステムの構成例である。
【符号の説明】
１、１０１  管理ノード
２  ルートスイッチ
３、１０２  スイッチングハブ
４、１０３  端末ノード
１１  接続ポート
３１  ＣＰＵ
３２  主記憶装置
３３  補助記憶装置
３４  入出力装置
３５  ネットワーク接続装置
３６  媒体読取装置
３７  記憶媒体
３８  バス
４１  情報処理装置
４２  記憶手段
４３  ネットワーク回線
４４  本体
４５  メモリ
４６  可搬記憶媒体
４７  媒体駆動装置
【図１】
2004193966.tif 000003
【図２】
2004193966.tif 000004
【図３】
2004193966.tif 000005
【図４】
2004193966.tif 000006
【図５】
2004193966.tif 000007
【図６】
2004193966.tif 000008
【図７】
2004193966.tif 000009
【図８】
2004193966.tif 000010
【図９】
2004193966.tif 000011